(57)【要約】【課題】カバー部材への配線材の取付精度を緩和し、かつ配線材をハウジングに対し高精度に位置決めする。【解決手段】このコネクタ１は、ハウジング１０とカバー部材２０を備えている。カバー部材２０は、ＦＦＣ３０の端部を遊びを持って支持する。ハウジング１０には、位置決め突起１１とその斜面１１ａが形成されている。カバー部材２０はＦＦＣ３０を支持してハウジング１０に固定される。ＦＦＣ３０は、カバ―部材２０がハウジング１０に固定される際、位置決め突起１１の斜面１１ａにより、正しい位置に移動する。【選択図】図１
2016062761.tif 000002
【特許請求の範囲】
【請求項１】
配列された複数の導体が端部に形成された帯状の配線材と回路基板とを電気的に接続するコネクタであって、
前記配線材端部が置かれる上面と回路基板に対面する下面とを有し、該回路基板に固定されるハウジングと、
前記ハウジングに置かれた前記配線材端部の複数の導体にそれぞれ接する複数のコンタクトと、
前記配線材端部を遊びを持って支持する支持構造を有し、該端部を前記ハウジングに押し当てた状態に前記ハウジングに固定されるカバー部材とを備え、
前記ハウジングが、前記カバー部材に支持されて前記上面に置かれる前記配線材端部を位置決めする位置決め構造を有することを特徴とするコネクタ。
【請求項２】
前記カバー部材が、前記配線材の幅方向に延び、前記ハウジングに固定された状態において前記配線材端部を該ハウジングに向って押し当てる基部を有し、
前記配線材端部が、両側縁それぞれに、長手方向に互いに間隔を空けて側方に突き出た一対の突片を有し、
前記支持構造が、前記カバー部材の両端部双方に、前記一対の突片それぞれに対応して設けられた、それぞれが前記基部から立ち上がって、前記配線材が延びる方向に互いに近づく向きに延び、前記一対の突片それぞれを該基部との間に受け入れる一対の受入部を有することを特徴とする請求項１記載のコネクタ。
【請求項３】
前記配線材が、フレキシブルフラットケーブルであることを特徴とする請求項１又は２記載のコネクタ。
【請求項４】
前記配線材が、フレキシブル回路基板であることを特徴とする請求項１又は２記載のコネクタ。
【発明の詳細な説明】
【技術分野】
【０００１】
本発明は、帯状の配線材と回路基板とを電気的に接続するコネクタに関する。典型的な帯状の配線材としては、ＦＦＣ（Ｆｌｅｘｉｂｌｅ  Ｆｌａｔ  Ｃａｂｌｅ）やＦＰＣ（Ｆｌｅｘｉｂｌｅ  Ｐｒｉｎｔｅｄ  Ｃｉｒｃｕｉｔｓ）等が存在する。
【背景技術】
【０００２】
従来より、帯状の配線材と回路基板とを電気的に接続するタイプのコネクタが知られている。
【０００３】
従来知られているこのタイプのコネクタの多くは、例えば特許文献１に示すように、ハウジングとカバー部材を備えている。ハウジングは、回路基板に半田付けにより固定される。また、カバー部材は配線材端部に接着等により固着される。
【先行技術文献】
【特許文献】
【０００４】
【特許文献１】特開２０１４−９３１２３号公報
【発明の概要】
【発明が解決しようとする課題】
【０００５】
上記の特許文献１のコネクタでは、配線材端部にカバー部材が接着等により固着される。近年、高密度配線により、配線材に設けられている導体のピッチが益々細かくなってきている。このため、配線材の導体と、ハウジングに固定されたコンタクトとを高精度で接続する必要がある。これに対応するために、カバー部材の配線材への固着位置精度が厳しく設定される。また、カバー部材や配線材の製造誤差を小さくするよう厳しい管理が求められる。これらにより、生産性や歩留りが低下するおそれがある。
【０００６】
特にＦＦＣの場合、ＦＰＣとは異なり熱に弱いという性質を有する。このため、配線材がＦＦＣの場合、カバー部材を加熱により接着するという手法を採用することができない。
【０００７】
本発明は、上記事情に鑑み、カバー部材への配線材の取付精度を緩和し、かつ配線材がハウジングに対し高精度に位置決めされるコネクタを提供することを目的とする。
【課題を解決するための手段】
【０００８】
上記目的を達成する本発明のコネクタは、配列された複数の導体が端部に形成された帯状の配線材と回路基板とを電気的に接続するコネクタであって、
配線材端部が置かれる上面と回路基板に対面する下面とを有し、回路基板に固定されるハウジングと、
ハウジングに置かれた配線材端部の複数の導体にそれぞれ接する複数のコンタクトと、
配線材端部を遊びを持って支持する支持構造を有し、その端部をハウジングに向って押し当てた状態にハウジングに固定されるカバー部材とを備え、
上記ハウジングが、カバー部材に支持されて上面に置かれる配線材端部を位置決めする位置決め構造を有することを特徴とする。
【０００９】
なお、「位置決め構造」は、ハウジングとは別体のピン等がハウジングに固着されたものも含むものとする。
【００１０】
本発明のコネクタでは、カバー部材は配線材端部を遊びを持って支持する。すなわち、カバー部材への配線材の取付精度は大きく緩和されている。ハウジングは、配線材端部を位置決めする位置決め構造を有する。配線材は、カバー部材でハウジングに向って押し当てられる際にハウジングに対し位置決めされる。これにより、配線材は、ハウジングおよびコンタクトに対しては高精度に位置決めされる。
【００１１】
すなわち、本発明のコネクタによれば、カバー部材への配線材の固着なしで、高精度な位置決めが行なわれる。このため、接着等による固着の位置精度はそもそも問題とはならない。
【００１２】
ここで、本発明のコネクタにおいて、
上記カバー部材が、配線材の幅方向に延び、ハウジングに固定された状態において配線材端部をハウジングに向って押し当てる基部を有し、
上記配線材端部が、両側縁それぞれに、長手方向に互いに間隔を空けて側方に突き出た一対の突片を有し、
上記支持構造が、カバー部材の両端部双方に、上記一対の突片それぞれに対応して設けられた、それぞれが基部から立ち上がって、配線材が延びる方向に互いに近づく向きに延び、一対の突片それぞれを基部との間に受け入れる一対の受入部を有することが好ましい。
【００１３】
この支持構造を備えると、配線材を、カバー部材に、遊びを持って支持された状態に容易に取り付けることができる。
【００１４】
また、本発明のコネクタにおいて、上記配線材が、フレキシブルフラットケーブルであることが好適である。
【００１５】
また、本発明のコネクタにおいて、上記配線材が、フレキシブル回路基板であることも好ましい態様である。
【００１６】
本発明のコネクタは、加熱を伴う接着を行なうことができないＦＦＣに対し特に有効である。ただし、本発明のコネクタは、ＦＰＣ（フレキシブル回路基板）等、他の種類の配線材に対しても有効である。
【発明の効果】
【００１７】
以上の本発明によれば、カバー部材への配線材の取付精度が緩和され、かつ配線材をハウジングに対し高精度に位置決めすることができる。
【図面の簡単な説明】
【００１８】
【図１】本発明の一実施形態としてのコネクタであって、ハウジングとカバー部材が離れた状態を示した斜視図である。
【図２】図１に示すコネクタであって、カバー部材がハウジングに取り付けられた状態を示した斜視図である。
【図３】互いに分離した状態のカバー部材とＦＦＣを示した斜視図である。
【図４】カバー部材にＦＦＣが支持された状態の斜視図である。
【図５】ＦＦＣを支持した状態のカバー部材の平面図である。
【図６】図５に点線で示す矩形部分の拡大図である。
【図７】図５に示す矢印に沿う断面図である。
【図８】ハウジングとカバー部材とが離間した状態における、図１に示す矢印Ｚ−Ｚに沿うコネクタの断面図である。
【図９】図８に点線の矩形で示す部分の拡大図である。
【発明を実施するための形態】
【００１９】
以下、本発明の実施の形態を説明する。
【００２０】
図１は、本発明の一実施形態としてのコネクタであって、ハウジングとカバー部材が離れた状態を示した斜視図である。
【００２１】
また、図２は、図１に示すコネクタであって、カバー部材がハウジングに取り付けられた状態を示した斜視図である。
【００２２】
このコネクタ１は、樹脂製のハウジング１０と、金属製のカバー部材２０を備えている。また、ここには、配線材としてのＦＦＣ３０が示されている。このＦＦＣ３０は、本来はさらに長尺の配線材であるが、ここではその一端部のみが示されている。図１，図２では、このＦＦＣ３０はカバー部材２０に支持されている。支持構造については後述する。ハウジング１０およびカバー部材２０は、いずれも、ＦＦＣ３０の幅方向（矢印Ｙ方向）に延びた形状を有する。
【００２３】
ハウジング１０は、その長手方向（ＦＦＣ３０の幅方向）に配列された複数のコンタクト４０を支持している。これらのコンタクト４０は、不図示の回路基板上に半田付けされる。また、これらのコンタクト４０は、ＦＦＣ３０の端部に設けられた導体３１（図３，図４参照）と接触する。これにより、コンタクト４０は、ＦＦＣ３０と回路基板とを接続する。
【００２４】
また、ハウジング１０は、その長手方向両端部に補強金具５０を備えている。これらの補強金具５０は、不図示の回路基板上に半田付けにより固定され、ハウジング１０を補強している。また、この補強金具５０は、カバー部材２０の固定金具としても作用する。カバー部材２０の両端部には、各一対の係止部２１が備えられている。これらの係止部２１は、図２に示すように、各補強金具５０を両側から挟むようにして、補強金具５０に係止される。さらに、ハウジング１０の、補強金具５０の直ぐ内側には、位置決め突起１１が
設けられている。この位置決め突起１１は、ＦＦＣ３０の側縁３３ｂに係合し、ＦＦＣ３０を位置決めする。詳細は後述する。
【００２５】
図３は、互いに分離した状態のカバー部材とＦＦＣを示した斜視図である。
【００２６】
また、図４は、カバー部材にＦＦＣが支持された状態の斜視図である。
【００２７】
これら図３，図４では、カバー部材２０およびＦＦＣ３０の、図１，図２に示す面とは反対側の面が表われるように、ハウジング１０側を向いた面を上に向けて示されている。
【００２８】
ＦＦＣ３０の端部の両側縁３３には、それぞれ一対の突片３２が形成されている。一対の突片３２を形成している２つの突片３２ａ，３２ｂは、ＦＦＣ３０の長手方向に互いに間隔を空けて側方に突出している。
【００２９】
カバー部材２０は、基部２３を備えている。この基部２３は、ＦＦＣ３０の幅方向に延びている。そして、この基部２３は、ハウジング１０に固定された状態においてＦＦＣ３０の導体３１が設けられている端部をハウジング１０に押し当てる。これにより、ＦＦＣ３０の導体３１がコンタクト４０（図１参照）に接続される。
【００３０】
また、このカバー部材２０は、その両端部双方に、それぞれ一対の受入部２２が設けられている。一対の受入部２２を構成している２つの受入部２２ａ，２２ｂは、それぞれが基部２３の前後の端から立ち上がっている。そして、２つの受入部２２ａ，２２ｂは、ＦＦＣ３０が延びる方向に互いに近づく向きに延び、互いに逆向きの鉤形状に形成されている。一対の受入部２２は、ＦＦＣ３０に設けられている一対の突片３２にそれぞれ対応した位置に設けられている。そして、それら一対の受入部２２は、基部２３との間に一対の突片３２をそれぞれ受け入れる。カバー部材２０の両端部の一対の受入部２２は、ＦＦＣ３０の一対の突片３２を寸法的に余裕を持って受け入れている。したがって、カバー部材２０には、ＦＦＣ３０の端部が遊びを持って支持される。
【００３１】
図５は、ＦＦＣを支持した状態のカバー部材の平面図である。この図５は、図３，図４と同様、ハウジング１０（図１参照）に対面する面を表している。
【００３２】
また、図６は、図５に点線で示す矩形部分の拡大図である。
【００３３】
さらに図７は、図５に示す矢印に沿う断面図である。ここで、図７（Ａ），図７（Ｂ）は、図５に示す、それぞれ、矢印Ａ−Ａ、矢印Ｂ−Ｂに沿う断面図である。
【００３４】
図６に示すように、受入部２２とＦＦＣ３０の側縁３３ａとの間にはすき間ｗ１が形成されている。ＦＦＣ３０のもう一方の側縁３３ｂ（図５参照）とその側縁３３ｂ側の受入部２２との間にも、同様のすき間を有する。したがって、ＦＦＣ３０は、その両側のすき間の分、幅方向に遊びを持ってカバー部材２０に支持される。
【００３５】
また、図７に示すように、一対の受入部２２のうちのＦＦＣ３０の先端側の受入部２２ａは、ＦＦＣ３０の一対の突片３２のうちの先端側の突片３２ａを受け入れている。また、これと同様に、ＦＦＣ３０の、先端から離れた側の受入部２２ｂは、先端から離れた側の突片３２ｂを受け入れている。そして、先端側の受入部２２ａと突片３２ａとの間にはすき間ｄ１の余裕がある。これと同様に、先端から離れた側の受入部２２ｂと突片３２ｂとの間にもすき間ｄ２の余裕がある。したがって、ＦＦＣ３０は、その長手方向にもｄ１＋ｄ２分の遊びを持ってカバー部材２０に支持される。
【００３６】
カバー部材２０は、ＦＦＣ３０を上記のように遊びを持って支持し、ＦＦＣ３０をハウジング１０に向って押し当てながらハウジング１０に固定される。
【００３７】
図８は、ハウジングとカバー部材とが離間した状態における、図１に示す矢印Ｚ−Ｚに沿うコネクタの断面図である。
【００３８】
また、図９は、図８に点線の矩形で示す部分の拡大図である。この図９では、カバー部材をハウジングに取り付ける過程を順に示している。
【００３９】
図９（Ａ）では、図８と同様、カバー部材２０はハウジング１０から離間した状態にある。この図９（Ａ）では、ＦＦＣ３０は、その側縁３３ｃ，３３ｄ（以下、代表して３３ｄのみについて言及する）が、幅方向にずれた位置、すなわち、一方の受入部２２に近寄った位置にある。このとき、ＦＦＣ３０の側縁３３ｄはハウジング１０の位置決め突起１１に設けられた斜面１１ａの直上にある。
【００４０】
図９（Ｂ）には、カバー部材２０がハウジング１０に近づき、ＦＦＣ３０の側縁３３ｄがハウジング１０の位置決め突起１１の斜面１１ａに突き当たった状態が示されている。この状態以降、ＦＦＣ３０は、その斜面１１ａから矢印Ｘの向きの力を受けて幅方向（矢印Ｘの向き）に移動する。
【００４１】
図９（Ｃ）には、カバー部材２０がハウジング１０に完全に取り付けられた状態が示されている。ＦＦＣ３０は、ハウジング１０の位置決め突起１１の斜面１１ａにより矢印Ｘの向きに押された結果、位置決めされた正しい位置に移動している。そして、その正しい位置において、カバー部材２０の基部２３により、ＦＦＣ３０はコンタクト４０に押し当てられている。なお、この図９（Ｃ）では、コンタクト４０の、ＦＦＣ３０と接触する前の状態が破線で示されている。実際は、ＦＦＣ３０に押されて弾性変形し、ＦＦＣ３０に設けられている導体３１に所定の接触圧で接触する。
【００４２】
位置決め突起１１およびその斜面１１ａは、ハウジング１０の両端部に設けられている。このため、ＦＦＣ３０が、幅方向のいずれに片寄った位置にあっても、ＦＦＣ３０は、カバー部材２０をハウジング１０に取り付ける過程で正しい位置に移動する。
【００４３】
なお、ＦＦＣ３０の端部に設けられている導体３１は、図３〜図５に示すように、その長手方向に延びた形状を有する。このため、ＦＦＣ３０の長手方向の遊びしろ（図７に示すｄ１＋ｄ２）については、特に位置決めする必要はない。すなわち、ＦＦＣ３０が長手方向の遊びしろのどの位置にあっても、各導体３１は、各コンタクト４０に確実に接触する。
【００４４】
本実施形態のコネクタ１の場合、上記の通り、ＦＦＣ３０はカバー部材２０に遊びを持って支持される。そして、カバー部材２０をハウジング１０に取り付ける際にハウジング１０の位置決め突起１１の斜面１１ａにより位置決めされる。したがって、カバー部材２０へのＦＦＣ３０の取付け精度は大幅に緩和され、ＦＦＣ３０はカバー部材２０に遊びを持って支持されている。
【００４５】
なお、本実施形態では、本発明にいう帯状の配線材の一例としてＦＦＣが例に挙げてられている。ただし、本発明にいう配線材はＦＦＣに限られるものではなくて、ＦＰＣ等、ＦＦＣ以外の種類のフラットケーブル等であってもよい。
【００４６】
また、本発明にいう「位置決め構造」は、ハウジング１０の一部である位置決め突起１１の他に、ハウジング１０に固定された金属製ガイドポスト等であってもよい。
【符号の説明】
【００４７】
１    コネクタ
１０    ハウジング
１１    突起
１１ａ    斜面
２０    カバー部材
２１    係止部
２２，２２ａ，２２ｂ    受入部
２３    基部
３０    ＦＦＣ
３１    導体
３２，３２ａ，３２ｂ    突片
３３，３３ａ，３３ｂ    側縁
４０    コンタクト
５０    補強金具
【図１】
2016062761.tif 000003
【図２】
2016062761.tif 000004
【図３】
2016062761.tif 000005
【図４】
2016062761.tif 000006
【図５】
2016062761.tif 000007
【図６】
2016062761.tif 000008
【図７】
2016062761.tif 000009
【図８】
2016062761.tif 000010
【図９】
2016062761.tif 000011